(57)【特許請求の範囲】
【請求項１】
上架台と、該上架台の下方に配置された下架台と、該両架台間に介設された防振装置とを備え、機器が載置固定される防振架台であって、
上記上架台は、枠状をなして、内側に枠開口を有し、
上記上架台に固定され、該上架台の枠開口を下側から塞ぐドレンパンと、
上記上架台の枠内に配設され、両端が該上架台に各々接合された梁部材と、
上下方向から見て上記上架台との間に隙間が形成されるように上記梁部材上に設けられ、その上に上記機器が載置される付加質量体とを備えていることを特徴とする防振架台。
【請求項２】
請求項１に記載の防振架台において、
上記梁部材は、上記上架台よりも上面が低いことを特徴とする防振架台。
【発明の詳細な説明】
【技術分野】
【０００１】
本発明は、防振架台に関し、特に、ポンプ等の機器が載置固定される防振架台であって、該機器のドレン水を受けるドレンパンを備えるものに関する。
【背景技術】
【０００２】
従来より、ポンプが載置固定されるポンプ用防振架台であって、ポンプのドレン水を受けるドレンパンを備えるものがある（例えば特許文献１参照）。一方、防振架台において、機器の振動変位を小さくするために付加質量体を設ける場合がある（例えば特許文献２参照）。これまでに付加質量体が設けられた種々のポンプ用防振架台が開発されており、その１つに、上方に開口する凹部が形成された箱型の上架台と、その下方に配置された下架台と、両架台間に介設された防振装置とを備え、上記凹部内に付加質量体であるコンクリートが配設され、このコンクリートをドレンパンで覆うものがある。
【先行技術文献】
【特許文献】
【０００３】
【特許文献１】実用新案登録第３１１４１３５号公報
【特許文献２】特開２００９−２１６１５７号公報
【発明の概要】
【発明が解決しようとする課題】
【０００４】
しかしながら、上記防振架台では、コンクリートを上架台の凹部に流し込んで固めなければならないため、付加質量体を設けるのに手間がかかる。また、コンクリートをドレンパンで覆っているため、ドレン水があふれて外部に流出する虞がある。
【０００５】
本発明は、かかる点に鑑みてなされたものであり、その目的とするところは、付加質量体の設置が容易で、ドレン水が外部に流出するのを防止することが可能な防振架台を提供することにある。
【課題を解決するための手段】
【０００６】
上記の目的を達成するために、本発明は、ドレンパン及び付加質量体の各取付構造を工夫したものである。
【０００７】
具体的には、本発明は、上架台と、該上架台の下方に配置された下架台と、該両架台間に介設された防振装置とを備え、機器が載置固定される防振架台を対象とし、次のような解決手段を講じた。
【０００８】
第１の発明は、上記上架台は、枠状をなして、内側に枠開口を有し、上記上架台に固定され、該上架台の枠開口を下側から塞ぐドレンパンと、上記上架台の枠内に配設され、両端が該上架台に各々接合された梁部材と、上下方向から見て上記上架台との間に隙間が形成されるように上記梁部材上に設けられ、その上に上記機器が載置される付加質量体とを備えていることを特徴とするものである。
【０００９】
これによれば、上架台の枠内に配設された梁部材上に付加質量体が設けられているので、付加質量体の設置時には、それを梁部材に載せるだけでよい。したがって、付加質量体の設置が容易である。また、付加質量体が上下方向から見て上架台との間に隙間が形成されるように設けられ、さらに、ドレンパンが上架台の枠開口を下側から塞いでいる。したがって、付加質量体上に機器を載置すると、機器からのドレン水が付加質量体の上面を伝って上記隙間を通り、その下のドレンパンに流れ落ちる。よって、ドレン水が外部に流出するのを防止することができる。
【００１０】
第２の発明は、上記第１の発明において、上記梁部材は、上記上架台よりも上面が低いことを特徴とするものである。
【００１１】
これによれば、梁部材が上架台よりも上面が低い、即ち上架台の枠内面の一部が梁部材の上面よりも高いので、付加質量体の上面を伝って梁部材の上面に流れ落ちたドレン水は、上記上架台の枠内面に当たってドレンパンに流れ落ちる。したがって、ドレン水の外部への流出を確実に防止することができる。
【発明の効果】
【００１２】
本発明によれば、上架台の枠内に配設された梁部材上に付加質量体が設けられているので、付加質量体の設置時には、それを梁部材に載せるだけでよい。したがって、付加質量体の設置が容易である。また、機器からのドレン水が付加質量体を伝ってこの付加質量体と上架台との間の隙間を通り、その下のドレンパンに流れ落ちるので、ドレン水が外部に流出するのを防止することができる。
【図面の簡単な説明】
【００１３】
【図１】本発明の実施形態に係る防振架台のポンプが載置固定された状態における正面図である。
【図２】本発明の実施形態に係る防振架台の平面図である。
【図３】本発明の実施形態に係る防振架台の正面図である。
【図４】本発明の実施形態に係る防振架台の側面図である。
【図５】図３の一部拡大図である。
【図６】ドレンパンを示す図であって、（ａ）は平面図であり、（ｂ）は正面図であり、（ｃ）は側面図である。
【図７】防振架台を示す正面図であって、（ａ）はポンプ設置前を示す図であり、（ｂ）はポンプ設置途中を示す図であり、（ｃ）はポンプ設置後を示す図である。
【図８】図７のVIII部拡大図である。
【発明を実施するための形態】
【００１４】
以下、本発明の実施形態を図面に基づいて詳細に説明する。尚、以下の好ましい実施形態の説明は、本質的に例示に過ぎず、本発明、その適用物或いはその用途を制限することを意図するものではない。以下の実施形態では、本発明の防振架台をポンプ用防振架台に適用した例について説明する。
【００１５】
本実施形態のポンプ用防振架台（以下、単に防振架台という）１は、床面Ｆ上に設置され、図示しない水処理装置に送水を行うポンプ（機器）Ｐが載置固定され、このポンプＰの作動時に生じる振動が床面Ｆに伝達するのを防止するものである。
【００１６】
図１は、ポンプＰが載置固定された状態における防振架台１の正面図である。図２〜４は防振架台１を示す図であって、図２は平面図、図３は正面図、図４は側面図である。
【００１７】
上記防振架台１は、各々矩形枠状の金属製角パイプ（例えば構造用角形鋼管等）からなる上架台３及びその下方に間隔をあけて配置された下架台５を備え、両架台３，５間に４つのアイソレータ（防振装置）７，７，…が介設されている。各アイソレータ７は、上記両架台３，５間の振動伝達を軽減するものであり、例えばコイルばねとゴムとを一体成形したものや樹脂ケース内にコイルばねを内蔵したものが用いられる。尚、図１〜４及び以下で示す図５〜８において、防振架台１の長手方向及び短手方向をそれぞれ縦方向及び横方向とする。
【００１８】
上記両架台３，５はコーナー部で連結されており、各コーナー部の連結構造は互いにほぼ同一である。そこで、ここでは、図２の右下に位置するコーナー部の連結構造について説明する。図５は、このコーナー部の拡大図である。両架台３，５の各横方向外側面の縦方向端部に各々耐震ブラケット９が取り付けられ、両耐震ブラケット９，９は全ネジ１１及び４つの六角ナット１３，１３，…で連結されている。各耐震ブラケット９は、鋼板からなり、上記横方向外側面に固定される縦板部９ａと、その上下方向一方側端から垂直に延びる横板部９ｂと、これら縦横両板部９ａ，９ｂの幅方向一方側端面に接合された三角形状の側板部９ｃとを有している。横板部９ｂには、上記全ネジ１１が挿通する挿通孔が厚み方向に貫通形成されている。
【００１９】
上架台３の耐震ブラケット９は、横板部９ｂが下側となり且つ側板部９ｃが縦方向内側となるように固定され、下架台５の耐震ブラケット９は、横板部９ｂが上側となり且つ側板部９ｃが縦方向内側となるように固定されている。そして、全ネジ１１が両耐震ブラケット９，９の各横板部９ｂを挿通し、下側の横板部９ｂに対応する部位においてこの横板部９ｂを上下から挟み込むように一対の六角ナット１３，１３が各々螺合し、上側の六角ナット１３上にワッシャ１５が外挿されている。また、全ネジ１１の上側の横板部９ｂに対応する部位にはゴムブッシュ１７が外挿され、このゴムブッシュ１７の上方に対応する部位に一対の六角ナット１３，１３が螺合している。防振架台１を使用するときには、上側の一対の六角ナット１３，１３の位置を調整し、該一対の六角ナット１３，１３とゴムブッシュ１７との間に適当な大きさ（約２〜３ｍｍ程度）の隙間を形成する。このことで、地震等による両架台３，５の上下方向の相対変位を適切に規制することができる。
【００２０】
一方、上記上架台３の下面には、その矩形状の枠開口１８（図２参照）を下側から塞ぐようにドレンパン１９が取付固定されている。図６は、ドレンパン１９を示す図であって、（ａ）は平面図、（ｂ）は正面図、（ｃ）は側面図である。ドレンパン１９は、鋼板を曲げ加工したものであって、縦長の矩形状をなし、上架台３の枠開口１８に対応する部分に凹部１９ａが形成されている。この凹部１９ａは、深さが例えば１５ｍｍであって、中央にドレン孔１９ｂが形成された矩形状の底板部１９ｃと、その周囲を囲む周板部１９ｄとによって形成されている。底板部１９ｃのドレン孔１９ｂ裏面側には図示しないドレンプラグが取り付けられている。また、ドレンパン１９の四隅部には貫通孔１９ｅ，１９ｅ，…が形成されている。このドレンパン１９は、凹部１９ａが上方に開口するように上架台３下面に設置されて上記貫通孔１９ｅ，１９ｅ，…においてリベット止めされ、周板部１９ｄ上端と上架台３下面とが接している。
【００２１】
また、図２に示すように、上記上架台３の枠内には、溝形鋼からなる一対の長梁（梁部材）２１，２１が横方向に間隔をあけて互いに平行に縦方向に延びており、この長梁２１，２１の間に溝形鋼からなる一対の短梁２３，２３が縦方向に間隔をあけて互いに平行に横方向に延びている。
【００２２】
上記各長梁２１は、図３に示すように、溝が下方に開口するように配置され、上面２１ａが上架台３の上面３ａよりも低くなるように、両端が上架台３の横方向に延びる２辺の内側面に溶接固定されている。図３右側の長梁２１の横方向外側面縦方向中央には、不等辺山形鋼からなるポンプ固定部材２５が設けられている。このポンプ固定部材２５は、長辺部２５ａが横方向外側に延びるように短辺部２５ｂが上記横方向外側面に溶接固定されている。この長辺部２５ａにはポンプ取付孔２５ｃが上下方向に貫通形成されており、その下面にこのポンプ取付孔２５ｃと同軸に溶接ナット２７が固定されている。一方、図３左側の長梁２１の横方向外側面縦方向中央部には、縦長の不等辺山形鋼からなるポンプ固定部材２９が設けられている。このポンプ固定部材２９は、長辺部２９ａが横方向外側に延びるように短辺部２９ｂが上記横方向外側面に溶接固定されている。この長辺部２９ａの左右両端部には各々ポンプ取付孔２９ｃが上下方向に貫通形成されており、その下面にこのポンプ取付孔２９ｃと同軸に溶接ナット２７が固定されている。
【００２３】
上記各短梁２３は、溝が下方に開口するように配置され、上面２３ａが上記長梁２１の上面２１ａと面一となるように、両端が上記一対の長梁２１，２１の横方向内側面に溶接固定されている。各短梁２３の縦方向外側面横方向中央には、不等辺山形鋼からなるポンプ固定部材２５が設けられている。このポンプ固定部材２５は、長辺部２５ａが縦方向外側に延びるように短辺部２５ｂが上記縦方向外側面に溶接固定されている。この長辺部２５ａにはポンプ取付孔２５ｃが上下方向に貫通形成されており、その下面にこのポンプ取付孔２５ｃと同軸に溶接ナット２７が固定されている。
【００２４】
上記長梁２１，２１及び短梁２３，２３上には、縦長矩形状の鋼板（付加質量体）３１が設けられていて、そのサイズは上記上架台３の内周よりも僅かに小さく、上下方向から見て上架台３との間に全周に亘って隙間３３が設けられている。この隙間３３の幅は、例えば１０ｍｍである。また、鋼板３１の上記ポンプ取付孔２５ｃ，２９ｃのそれぞれに対応する位置には貫通孔３１ａが厚み方向に形成され、ポンプ固定用のボルト３５がこの貫通孔３１ａを挿通する。
【００２５】
次に、ポンプＰを防振架台１に設置する手順を図７を参照して説明する。図７は、防振架台１を示す正面図であって、（ａ）はポンプＰ設置前を示す図、（ｂ）はポンプＰ設置途中を示す図、（ｃ）はポンプＰ設置後を示す図である。先ず、図７（ａ）に示すように、ボルト３５，３５，…を鋼板３１の貫通孔３１ａ，３１ａ，…に挿通して溶接ナット２７，２７，…に螺合させた状態の防振架台１を床面Ｆに置く。次に、ボルト３５，３５，…を取り外し、図７（ｂ）に示すようにポンプＰを鋼板３１上に載せる。最後に、図７（ｃ）に示すように、ポンプＰのベース部に上方からボルト３５，３５，…を挿通し、溶接ナット２７，２７，…に螺合させ、ポンプＰをポンプ固定部材２５，２９を介して長梁２１，２１及び短梁２３，２３に固定する。
【００２６】
−効果−
本実施形態の防振架台１によれば、上架台３の枠内に配設された長梁２１，２１上に付加質量体である鋼板３１が設けられているので、鋼板３１の設置時には、それを長梁２１，２１に載せるだけでよい。したがって、付加質量体の設置が容易である。さらに、付加質量体の質量を変更する際には、異なる質量の鋼板３１に変えるだけなので、変更作業も容易である。
【００２７】
また、鋼板３１が上下方向から見て上架台３との間に隙間３３が形成されるように長梁２１，２１及び短梁２３，２３上に設けられ、さらに、ドレンパン１９が上架台３の枠開口１８を下側から塞いでいる。ここで、図８に図７のVIII部を拡大したものを示すと、ポンプＰからのドレン水は矢印で示すように鋼板３１の上面を伝って上記隙間３３を通り、その下のドレンパン１９に流れ落ちる。したがって、ドレン水が外部に流出するのを防止することができる。
【００２８】
さらに、長梁２１，２１の上面２１ａ，２１ａが上架台３の上面３ａよりも低い、即ち上架台３の枠内面の一部が長梁２１，２１の上面２１ａ，２１ａよりも高いので、鋼板３１の上面を伝って当該上面２１ａ，２１ａに流れ落ちたドレン水は、上架台３の枠内面に当たってドレンパン１９に流れ落ちる。したがって、ドレン水の外部への流出を確実に防止することができる。
【００２９】
また、本実施形態の防振架台１では、ポンプＰを載置固定する際に、鋼板３１上にポンプＰを載せ、そのベース部上方からボルト３５を挿通させて螺合させるだけなので、固定作業が容易である。
【００３０】
また、コンクリートを利用する従来タイプの防振架台では、その廃棄時にコンクリートの処理に手間がかかり、また、環境負荷も大きい。これに対し、本実施形態の防振架台１では、再利用が容易な鋼板３１を用いているので、従来タイプと比較して廃棄処理が容易で環境負荷も小さい。さらに、安価な鋼板３１を用いているので、製造コストを抑えることができる。
【００３１】
（その他の実施形態）
上記実施形態では、上記隙間３３が鋼板３１外周の全周に亘って設けられているが、これに限定されず、鋼板３１外周の一部に上記隙間３３が設けられてもよい。但し、ドレン水の流出防止の観点から、上記隙間３３が鋼板３１外周の全周に亘って設けられているのが好ましい。
【００３２】
また、上記実施形態では、付加質量体として鋼板３１を用いているが、これに限定されず、上架台３の枠内に納まって上架台３との間に隙間３３が設けられるようなものであればよい。但し、環境負荷低減及び製造コスト抑制の観点から、上記実施形態のように鋼板３１を用いるのが好ましい。
【００３３】
また、上記実施形態では、長梁２１，２１の上面２１ａ，２１ａが上架台３の上面３ａよりも低いが、これに限定されず、この上面３ａと同じ高さ又はそれより高くてもよい。但し、ドレン水の流出を確実に防止する観点から、上記上面２１ａ，２１ａが上架台３の上面３ａよりも低いほうが好ましい。
【００３４】
さらに、上記実施形態では、梁部材が一対の長梁２１，２１で構成されているが、これに限定されず、上架台３の枠内に配設固定され、鋼板３１を支持できるものであればよい。
【００３５】
さらにまた、上記実施形態では、ポンプＰがポンプ固定用部材２５，２９を介して長梁２１，２１及び短梁２３，２３に固定されているが、これに限定されず、長梁２１，２１及び短梁２３，２３に直接固定されてもよい。
【００３６】
また、上記実施形態では、載置固定される機器がポンプＰであるが、これに限定されない。
【００３７】
また、上記実施形態では、ドレン孔１９ｂがドレンパン１９中央に設けられているが、これに限定されず、その他の位置に設けられてもよい。
【産業上の利用可能性】
【００３８】
以上説明したように、本発明に係る防振架台は、ドレン水が防振架台の外に流出するのを防止する用途等に適用することができる。
【符号の説明】
【００３９】
１      ポンプ用防振架台（防振架台）
３      上架台
３ａ    上面（上架台の上面）
５      下架台
７      アイソレータ（防振装置）
１８    枠開口
２１    長梁（梁部材）
２１ａ  上面（梁部材の上面）
３１    鋼板（付加質量体）
３３    隙間
Ｐ      ポンプ（機器）
【図１】
0005912885.tif 000002
【図２】
0005912885.tif 000003
【図３】
0005912885.tif 000004
【図４】
0005912885.tif 000005
【図５】
0005912885.tif 000006
【図６】
0005912885.tif 000007
【図７】
0005912885.tif 000008
【図８】
0005912885.tif 000009